Podtech/llm-jp-corpus-v4-ja_patent huggingface dataset:
(57)【要約】      （修正有）【課題】プライバシー保護の為に、氏名等の個人を特定する主情報と主情報に付随する付加情報の表示をカバーで隠蔽し、緊急時に必要となる付加情報を簡単に確認する。【解決手段】氏名等の個人を特定する主情報と主情報に付随する付加情報を表示する表示体と表示された情報を覆うカバーからなる表示装置のカバーを透明な素材を用いて成型し、このカバーで覆った時に主情報のみ隠蔽するようにカバーの一部を不透明とすることで課題を解決する。【選択図】図１
2006154439.tif 000002
【特許請求の範囲】
【請求項１】
個人を特定する主情報と前記主情報に付随する付加情報を表示する表示体と、前記表示対に表示された情報を覆うカバーからなる表示装置において、前記カバーは透明な素材を用いると共に前記表示体を前記カバーで覆った時に前記主情報のみ隠蔽されるように前記カバーの一部を不透明としたことを特徴とする表示装置。
【発明の詳細な説明】
【技術分野】
【０００１】
本発明は表示装置に係る。
【背景技術】
【０００２】
病院等では病室入り口近傍に入院患者の名前を記した表示装置を設置することが多い。  この表示装置は単に氏名を表示するだけでなく、患者の付加情報等も表示される場合がある。  また、プライバシー保護の観点から平時は表示装置に覆いを被せ、個人を特定する情報を隠蔽するものが考案されている。
【特許文献１】特開2004-94764号  公報
【発明の開示】
【発明が解決しようとする課題】
【０００３】
上述した付加情報に救護区分がある。  救護区分は緊急避難等の際に、どの程度の介助が必要であるかを示すものである。  例えば火災等が発生した場合、救助隊は救護区分を確認して、自力非難できない患者を優先して救助するなどに用いられる。  ところで、前述の表示装置では付加情報である救護区分も隠蔽されてしまう。  平常時はカバーを外し確認すればよいが、緊急時には一刻を争いそのような余裕がない。      
【課題を解決するための手段】
【０００４】
そこで本発明は、氏名等の個人を特定する主情報と主情報に付随する付加情報を表示する表示体と表示された情報を覆うカバーからなる表示装置のカバーを透明な素材を用いて成型し、このカバーで覆った時に主情報のみ隠蔽するようにカバーの一部を不透明とすることで課題を解決するものである。    
【発明の効果】
【０００５】
上述のように透明な素材で出来たカバーなので、緊急時に必要となる付加情報を常時見ることができ、かつ氏名等の個人を特定する主情報のみ隠蔽するようにカバーの一部を不透明とするので個人のプライバシーが保護される。  
【発明を実施するための最良の形態】
【０００６】
以下、図を用いて説明する。図１は本発明の表示装置の例である。          
【０００７】
図２は図１図の表示装置がカバーを外した例である。        
【０００８】
図１、及び図２は表示体にカバーをドア式に取り付けた表示装置であるが、開示した公知例のように引き戸式にカバーが表自体に設置されてもよい。        
【０００９】
カバーは樹脂を成型して作られるが、素材の一例としてはアクリル樹脂などがある。        
【００１０】
不透明部の構成は特に定めないが、不透明なシールを貼るなどの方法がある。    
【図面の簡単な説明】
【００１１】
【図１】・・・本発明の表示装置の一例
【図２】・・・図１の表示装置のカバーを外した図
【図１】
2006154439.tif 000003
【図２】
2006154439.tif 000004
(57)【要約】【課題】筐体内に表示素子を収め壁などに設置し、表側をパネルで覆う従来の表示装置は、パネルに穴が開けられ、筐体内の表示素子の一部が表側から見えるようになっている。  しかし、パネルの厚みにより視野角が制限され、  極端な例では穴正面からしか見えない。【解決手段】本発明はパネルの裏側に表示素子を配し、パネルの表側から表示素子の一部が見えるようにパネルに穴を開けその穴に光屈折手段をはめ込み、表示素子の像がこの光屈折手段により屈折し、従来見えなかった角度からも見ることができるようになった。 【選択図】図１
2006154438.tif 000002
【特許請求の範囲】
【請求項１】
パネルと前記パネルの裏側に配される表示素子と前記パネルの表側から前記表示素子の一部が見えるように開けられた前記パネルの表示窓と前記表示窓にはめ込まれた光屈折手段を有することを特徴とする表示装置。
【発明の詳細な説明】
【技術分野】
【０００１】
本発明は表示装置に係る。
【背景技術】
【０００２】
筐体内に表示素子を収め壁などに設置し、表側をパネルで覆う表示装置が従来からある。
【特許文献１】特開2001-215905 公開公報
【発明の開示】
【発明が解決しようとする課題】
【０００３】
筐体内に表示素子を収め壁などに設置し、表側をパネルで覆う従来の表示装置は、
パネルに穴が開けられ、筐体内の表示素子の一部が表側から見えるようになっている。  しかし、パネルの厚みにより視野角が制限され、  極端な例では穴正面からしか見えない。
【課題を解決するための手段】
【０００４】
パネルの裏側に表示素子を配し、パネルの表側から表示素子の一部が見えるようにパネルに穴を開けその穴に光屈折手段をはめ込むことにより課題を解決する。
【発明の効果】
【０００５】
表示素子の像が光屈折手段により屈折し、従来見えなかった角度からも見ることができるようになった。
【発明を実施するための最良の形態】
【０００６】
本発明の一実施形態を図をもって説明する
図３は従来の表示装置である。  表示素子の一部が表側から見えるように表示窓が開けられたパネルと裏側には表示素子が有る。  パネルの厚みにより可視視野角が制限されている。
【０００７】
図１は本発明の表示装置である。  表示素子の一部が表側から見えるように表示窓が開けられたパネルと裏側には表示素子が有る点は従来と同様であるが、表示窓に光屈折手段がはめ込まれている。
表示素子の像がこの光屈折手段により屈折し、従来見えなかった角度からも見ることができる。
【０００８】
なお、屈折手段の形状例として図２（イ）、図２（ロ）、図２（ハ）等が考えられる。
【図面の簡単な説明】
【０００９】
【図１】・・・本発明に係る表示装置
【図２】・・・本発明に係る光屈折手段の例
【図３】・・・従来の表示装置
【図１】
2006154438.tif 000003
【図２】
2006154438.tif 000004
【図３】
2006154438.tif 000005
(57)【要約】【課題】従来の情報端末は、端末自身への不正アクセスには、指紋認証というセキュリティーが掛けられている。  しかしながら、通信を行うデータには安全策が講じられていない。  すなわち本情報端末に成りすました偽端末を用いれば偽のデータを送ったり、機密データを受信できてしまう。【解決手段】そこで本発明は、パッケトを構成するフレームの1つを生態情報を表すデータとし、送信者あるいは受信者の生態データをパケットに付加し送信するものである。  よって、誰が送信したか、あるいは誰が受信するのかが不正に変更されること無く通信の安全性が保障される。 【選択図】図２
2006074141.tif 000002
【特許請求の範囲】
【請求項１】
パケット通信を行う通信システムであり、
通信に使用されるパケットを構成するフレームの１つが生態情報を表すデータであることを特徴とする通信システム。
【請求項２】
前記生態情報は指紋情報である請求項１記載の通信システム。
【請求項３】
前記生態情報は血管模様の配置情報である請求項１記載の通信システム。
【請求項４】
前記生態情報は網膜模様である請求項１記載の通信システム。
【発明の詳細な説明】
【技術分野】
【０００１】
本発明はパケット通信におけるセキュリティーに関する。
【背景技術】
【０００２】
昨今、個人情報の漏洩等ＩＴ分野においてセキュリティーが問題になっている。例えば開示した情報端末のように、指紋を認識し使用可能となるものがある。ところで、このような情報端末はパケットと呼ばれるデータの塊で通信を行うものが多い。
【特許文献１】特表2003-517245号  公報
【発明の開示】
【発明が解決しようとする課題】
【０００３】
開示の情報端末は、端末自身への不正アクセスには、指紋認証というセキュリティーが掛けられている。  しかしながら、通信を行うデータには安全策が講じられていない。  すなわち本情報端末に成りすました偽端末を用いれば偽のデータを送ったり、機密データを受信できてしまう。    
【課題を解決するための手段】
【０００４】
そこで本発明は、パッケトを構成するフレームの1つを生態情報を表すデータとし、送信者あるいは受信者の生態データをパケットに付加し送信するものである。    
【発明の効果】
【０００５】
生態情報をパケットに取り入れているので、誰が送信したか、あるいは誰が受信するのかが不正に変更されること無く安全が保障される。  
【発明を実施するための最良の形態】
【０００６】
図１は従来のパケット構成の一例である。  図２は本発明のパケット構成である。          
【０００７】
図３は本発明に係る情報端末である。  本端末は指紋読み取り手段と通信手段と指紋情報比較手段と通信データ表示手段からなる。        
【０００８】
例えば受信者の指紋情報を組み入れたパケットが送られてくると、通信手段は復調、パケットを復号する。        
【０００９】
次に指紋読み取り手段から読み出した指紋情報とパケットに組み入れられた指紋情報を比較する。        
【００１０】
指紋情報が一致すれば復号したデータを表示手段で表示する。  また、一致しない場合は復号したデータを破棄する。        
【００１１】
一方、送信側では予め記憶しておいた受信者の生態情報（指紋情報など）をパケットに組み込み送信する。    
【図面の簡単な説明】
【００１２】
【図１】・・・従来のパケット構成の例
【図２】・・・本発明のパケット構成の例
【図３】・・・本発明に係る情報端末
【図１】
2006074141.tif 000003
【図２】
2006074141.tif 000004
【図３】
2006074141.tif 000005
(57)【要約】      （修正有）【課題】公衆回線網を介して自動的にメッセージを入院患者等に届けるシステムの提供。【解決手段】収容回線中の特定回線に対する起呼に対して自動応答し予め記録された第１のメッセージを発呼者に伝送するとともに特定回線と親機を接続するＰＢＸと、発呼者から識別番号データが送られて来た時には予め記録された第２のメッセージを発呼者に伝送するとともに、識別番号に関連付け発呼者からのメッセージを記録手段に記録し、識別番号が付された子機にメッセージが来ていることを示すメッセージ信号を送信する親機と、メッセージ信号を受けとると発光するメッセージ有無表示手段とメッセージの再生を前記親機に要求する信号の送出を制御するメッセージ釦を有する子機とで課題を実現するものである。【選択図】図１
2006074143.tif 000002
【特許請求の範囲】
【請求項１】
少なくともＰＢＸと親機と子機からなり、
前記ＰＢＸは
収容回線中の特定回線に対する起呼に対して自動応答し予め記録された第１のメッセージを発呼者に伝送するとともに前記特定回線と親機を接続し、  
前記親機は
前記発呼者から識別番号データが送られて来た時には予め記録された第２のメッセージを発呼者に伝送するとともに
前記識別番号に関連付け前記発呼者からのメッセージを記録手段に記録し
前記識別番号が付された前記子機にメッセージが来ていることを示すメッセージ信号を送信し、
前記子機は
メッセージ信号を受けとると発光するメッセージ有無表示手段と
メッセージの再生を前記親機に要求する信号の送出を制御するメッセージ釦を有し、
公衆回線網を介して送られてくるメッセージを記録及び再生することを特徴とするナースコールシステム。
【請求項２】
前記子機は前記親機から送信されたメッセージを記憶し、繰り返し再生することが可能であることを特徴とする請求項１記載のナースコールシステム。
【発明の詳細な説明】
【技術分野】
【０００１】
本発明は公衆回線網を介して送られてくるメッセージを記録及び再生するナースコールシステムに係る。
【背景技術】
【０００２】
従来のナースコールシステムは、親機と子機からなり、親子間で通話が可能なものがあった。    
【特許文献１】特開平07-074835 公報
【発明の開示】
【発明が解決しようとする課題】
【０００３】
ところで、入院患者が外部と連絡を取る際には、院内の公衆電話を使用することができる。  しかしながら、外部から入院患者に連絡を取りたい場合は病院に電話をして、職員等に伝言を頼むしかなかった。    
【課題を解決するための手段】
【０００４】
そこで本発明は、
収容回線中の特定回線に対する起呼に対して自動応答し予め記録された第１のメッセージを発呼者に伝送するとともに特定回線と親機を接続するＰＢＸと、  
発呼者から識別番号データが送られて来た時には予め記録された第２のメッセージを発呼者に伝送するとともに、識別番号に関連付け発呼者からのメッセージを記録手段に記録し、識別番号が付された子機にメッセージが来ていることを示すメッセージ信号を送信する親機と、
メッセージ信号を受けとると発光するメッセージ有無表示手段と
メッセージの再生を前記親機に要求する信号の送出を制御するメッセージ釦を有する子機とで課題を実現するものである。
【発明の効果】
【０００５】
本発明によれば、発呼者が自動応答するＰＢＸ、親機に対してメッセージを記録させることができ、且つ患者は自分宛のメッセージを、子機を介して受け取るができる。  
【発明を実施するための最良の形態】
【０００６】
ＰＢＸは公衆回線網とナースコールシステムの親機に接続される。ＰＢＸは収容回線うち少なくとも１回線は伝言用の所定回線とする。        
【０００７】
公衆回線網から起呼があり、それが所定回線であれば回線を確立し、第１のメッセージを再生し、発呼者に伝送する。        
【０００８】
例えば『こちら、○○病院、伝言サービスです。  伝えたい患者さんのＩＤ番号を入力してください。』        
【０００９】
発呼者は電話機のＤＴＭＦ信号発生機能を利用して患者ＩＤを送信する。ＰＢＸは送られてきた患者ＩＤを示すＤＴＭＦ信号を親機に転送する。        
【００１０】
親機は第２のメッセージを再生し、発呼者に伝送する。例えば『ピィーと鳴ったら伝号をどうぞ。』        
【００１１】
このとき親機はＩＤ番号に関連付けしたメモリーエリアに、ＰＢＸから転送されてくるメッセージを記録していく。なお、メッセージの記録はＰＢＸで行ってもよい。        
【００１２】
記録が終了すると、このときのＩＤ番号の子機に対して、メッセージが記録されたことを示す信号を送信する。        
【００１３】
子機にはメッセージが記録されたことを示すメッセージ有無表示手段があり、患者に通知する。  また、子機にはメッセージを再生させ釦があり、操作することによりメッセージを聞くことができる。        
【００１４】
請求項２に係る発明では、子機にメッセージを記録する子機記録手段を有し、親機より送られてきたメッセージを記録しておく。  また、新規にメッセージが無いときにメッセージ釦を操作された場合には、子機記録手段に記録されたメッセージを再生することにより、繰り替えしメッセージが聞ける。    
【図面の簡単な説明】
【００１５】
【図１】・・・本発明を用いたシステム例
【図１】
2006074143.tif 000003
(57)【要約】【課題】本発明の目的は、無線電話機を提供することである。【解決手段】本発明の無線電話機は、保護部を備えたことを特徴としている。  【選択図】  図７
2006074626.tif 000002
【特許請求の範囲】
【請求項１】
保護部を備えた無線電話機
【発明の詳細な説明】
【技術分野】
【０００１】
本発明は、無線電話機に関する。
【発明の概要】
【０００２】
本発明に係る無線電話機は、保護部を備えてなる。
【０００３】
本発明に係る無線電話機に備えられた保護部は、無線電話機を衝撃などから保護するとともに、使用者が無線電話機を持ち易くするものである。
【図面の簡単な説明】
【０００４】
【図１】図１は、実施形態に係る無線電話機の正面図である。
【図２】図２は、実施形態に係る無線電話機の背面図である。
【図３】図３は、実施形態に係る無線電話機の平面図である。
【図４】図４は、実施形態に係る無線電話機の底面図である。
【図５】図５は、実施形態に係る無線電話機の右側面図である。
【図６】図６は、実施形態に係る無線電話機の左側面図である。
【図７】図７は、実施形態に係る無線電話機の前方斜視図である。
【図８】図８は、実施形態に係る無線電話機の陰影を施した前方斜視図であり、図中に表された略平行状細線及び略弧状細線は、いずれも立体表面の形状を表す線である。
【図９】図９は、実施形態に係る無線電話機の陰影を施した後方斜視図であり、図中に表された略平行状細線及び略弧状細線は、いずれも立体表面の形状を表す線である。
【図１０】図１０は、実施形態に係る無線電話機の透光性を有する部分を示す参考正面図であり、図中において斜線で表した部分は、透光性を有する。
【図１１】図１１は、実施形態に係る無線電話機の透光性を有する部分を示す参考右側面図であり、図中において斜線で表した部分は、透光性を有する。
【図１２】図１２は、実施形態に係る無線電話機の透明部分を示す参考背面図であり、図中において斜線で表した部分は、透明である。
【図１】
2006074626.tif 000003
【図２】
2006074626.tif 000004
【図３】
2006074626.tif 000005
【図４】
2006074626.tif 000006
【図５】
2006074626.tif 000007
【図６】
2006074626.tif 000008
【図７】
2006074626.tif 000009
【図８】
2006074626.tif 000010
【図９】
2006074626.tif 000011
【図１０】
2006074626.tif 000012
【図１１】
2006074626.tif 000013
【図１２】
2006074626.tif 000014
(57)【要約】【課題】  従来の形状のマスクでＺ板水晶薄板をエッチング加工すると、音さ型の水晶振動片の音さアーム部の左肩がおよそ３０°の角度で欠けた状態の水晶振動片が形成されるため、水晶振動片が左右非対称となり、振動子の振動エネルギーが水晶振動片の音さ支持部へ漏れ出す度合いが大きい。【解決手段】  エッチング用マスク１０の音さアーム部１２ａ、１２ｂ先端の右肩部は、図中θ２（θ２＝θ１≒３０°であって、２５°＜θ２＜３５°が望ましい）の角度で切り欠かれており、このマスク１０でエッチングして成形された水晶振動片１１は、音さアーム部１２ａ、１２ｂ先端の左右の肩にθ１、θ２（θ１＝θ２）の切り欠きが形成されて、水晶振動片形状が左右対称となり、振動のバランスが保たれて、振動エネルギーが音さ支持部１３へ漏れ出す度合いを低減できる。【選択図】図１
2006074417.tif 000002
【特許請求の範囲】
【請求項１】
Ｚ軸に直交する面を主面とした水晶ウエハをエッチィング用マスクによってパターニングした上で、エッチング加工を施すことによって音さ型の水晶振動片を製造するための方法であって、２つの音さアーム部の先端部のマスクが＋Ｘ側をＸ軸から＋Ｙ側に約３０°の角度で切り欠いた形状であることを特徴とする音さ型水晶振動片の製造方法。
【発明の詳細な説明】
【技術分野】
【０００１】
本発明は、音さ型振動子に関し、特に時計あるいは振動ジャイロセンサ等に用いられる音さ型水晶振動片の製造方法に関する。
【背景技術】
【０００２】
従来、時計あるいは振動ジャイロセンサ等に用いられる音さ型水晶振動子は、Ｚ板の水晶薄板を音さ状の振動片に成形し表面に電極パターンを形成した屈曲振動モードを有する振動子である。
水晶薄板を音さ状に成形する方法は、特開平５−３０８２３８号公報に示されているように、フォトリソグラフィ技法でパターニングされた形状をウェットエッチング加工して行われる。
【０００３】
図２は従来のＺ板の水晶薄板を音さ状にエッチング加工するときのマスクと水晶片の関係を示す図で、（ａ）はマスク形状図、（ｂ）はエッチング加工後の水晶片の平面図である。
同図に示されるように、図（ａ）の形状のマスク２０を水晶薄板の両面に貼付してエッチング加工すると、同図（ｂ）に示されるように、水晶振動片２１の音さアーム部２２ａ、２２ｂの、図中左肩がθ１≒３０°の角度で欠けた状態の水晶振動片が形成される。
水晶板のエッチング加工におけるエッチング欠けあるいはエッチング残りは、水晶の結晶構造の異方性のためにエッチングの速度が結晶軸によって差があるために生じるものであって、避け難いものである。
【特許文献１】特開平５−３０８２３８号公報
【発明の開示】
【発明が解決しようとする課題】
【０００４】
しかしながら、図１（ｂ）に示すように、音さアーム部２２ａ、２２ｂの先端が欠けた状態の水晶振動片２１は左右非対称となり、この水晶振動片２１に電極を形成して水晶振動子として振動させた場合、その振動はバランスが崩れて振動の安定性が劣化し、振動エネルギーの水晶振動片２１の音さ支持部２３への漏れが大きくなる。その結果、水晶振動子の等価直列抵抗が大となって性能が劣化するという問題があった。
また、振動エネルギーが水晶振動片の音さ支持部へ漏れ出す度合は、水晶振動片が小型化する程大きくなるので、音さ型水晶振動子の小型化の障害にもなっていた。
本発明は、上記課題を解決するためになされたものであって、左右対称の音さアームを有して優れた性能の音さ型水晶振動子を提供することを目的とする。
【課題を解決するための手段】
【０００５】
上記課題を解決するため、請求項１の音さ型水晶片の製造方法においては、Ｚ軸に直交する面を主面とした水晶ウエハをエッチィング用マスクによってパターニングした上で、エッチング加工を施すことによって音さ型の水晶振動片を製造するための方法であって、２つの音さアーム部の先端部のマスクが＋Ｘ側をＸ軸から＋Ｙ側に約３０°の角度で切り欠いた形状であることを特徴とする。
【発明の効果】
【０００６】
本発明によれば、音さ型水晶振動子の水晶振動片の音さアーム部先端の形状を左右対称とすることができ、振動子が振動した場合の振動バランスが保たれるので振動の安定性が向上し、水晶振動子の振動エネルギーが水晶振動片の音さ支持部へ漏れ出す度合いを軽減できる。
このため、振動子の等価直列抵抗の劣化を防いで、優れた性能をもつ音さ型水晶振動子を提供することができる.
また、音さ支持部への振動エネルギーの漏れの軽減によって水晶振動片の更なる小型化を可能にし、音さ型水晶振動子を用いた装置の小型化を図ることができる。
したがって、本発明によれば、小型で高性能の音さ型水晶振動子を提供する上で顕著な効果を有する。
【発明を実施するための最良の形態】
【０００７】
図１は、本発明に係る音さ型水晶振動子の水晶振動片の形状を説明する図であって、（ａ）はエッチング用のマスクの形状図、（ｂ）は水晶振動片の平面図、（ｃ）は水晶振動片の音さアーム部先端の形状とマスクの関係を説明する図である。
同図に示すように、いま、同図（ａ）のエッチング用のマスク１０を用いて水晶薄板をエッチング加工すると、同図（ｂ）のように水晶振動片１１が形成される。
前記マスク１０は、水晶振動片１１の音さアーム部１２ａ、１２ｂのそれぞれの従来のマスクによるエッチングによって欠ける部分のＹ軸対称の反対側の先端部に相当する部分（図中、アーム部先端の右肩部分）が欠けた形状を有する。
そして、同図（ｃ）に示すように、マスク１０の前記右肩部の切り欠きは、図中θ２の角度で切り欠かれており、この角度θ２は、θ２＝θ１≒３０°であって、２５°＜θ２＜３５°が望ましい角度である。
【０００８】
上記形状のマスク１０で水晶薄板をエッチングすることによって、同図（ｂ）、（ｃ）に示されるように音さアーム部１２ａ、１２ｂの先端両肩がθ２＝θ１≒３０°の切り欠きを有する水晶振動片１１が形成される。
これによって、水晶振動片１１のアーム部１２ａ、１２ｂの形状が左右対称になり、該水晶振動片１１で形成される音さ型水晶振動子の振動バランスが保たれることになる。その結果、振動の安定性が向上し、振動エネルギーが水晶振動片１１の音さ支持部１３へ漏れ出す度合いを軽減することができる。
【図面の簡単な説明】
【０００９】
【図１】本発明に係る音さ型水晶振動子の水晶振動片の形状を説明する図であって、（ａ）はエッチング用のマスクの形状図、（ｂ）は水晶振動片の平面図、（ｃ）は水晶振動片の音さアーム部先端の形状とマスクの関係を説明する図。
【図２】従来のＺ板の水晶薄板を音さ状にエッチング加工するときのマスクと水晶振動片の形状を示す図で、（ａ）はマスク形状図、（ｂ）は水晶振動片の平面図。
【符号の説明】
【００１０】
１０・・マスク、      １１・・水晶振動片、      １２ａ、１２ｂ・・音さアーム部、
１３・・音さ支持部    ２０・・マスク、          ２１・・水晶振動片、
２２ａ、２２ｂ・・音さアーム部、      ２３・・音さ支持部
【図１】
2006074417.tif 000003
【図２】
2006074417.tif 000004
(57)【要約】【課題】  本発明は、レンタルボックスショップにおいて、来店者を増やす広告宣伝の方法について、賃借者が参加して広告宣伝活動を積極化する方法を解決して、来店者を増やそうとすることを課題とする。【解決手段】  本発明は、レンタルボックスショップにおいて、顧客の来店を誘引するため、ボックス棚１の賃貸者が箱を３０個以上設置し、インターネットサービスプロバイダー網４に接続されている映像カメラ２を通して、賃借者が展示内容を同時放映する仕組みとそれを録画した映像をオンデマンドで放映をする仕組みを備えて、顧客が家庭のパソコン５又は携帯端末６から見ることができるようにし、また、その日のうちに売ってしまいたい展示品について同時放映をするときは、顧客がパソコンを見ていない場合があるので、あらかじめ登録をした顧客へ電話で視聴催促の自動発信アナウンス７を行い、来店行為８に繋げるものである。【選択図】  図１
2006074711.tif 000002
【特許請求の範囲】
【請求項１】
棚状に構成された箱を３０個以上設置したレンタルボックスショップにおいて、箱を賃借して商品又はカタログ（以下「展示品」と言う。）を展示する者（以下「賃借者」と言う。）がその展示内容を宣伝するため、並びに店舗自体を宣伝するため、箱を賃貸する者（以下「賃貸者」と言う。）がインターネットサービスプロバイダー網に接続されている映像カメラを備えて、展示品及び店舗の内容の動画映像をインターネットを通じてパソコン又は携帯端末で見ることにより来店が誘引される者（以下「顧客」と言う。）に対して、ライブのストリーミング放送（以下「同時放映」と言う。）をすることと、その録画をサーバーに記録して、後刻オンデマンドで見ることができるようにすること並びに別途編集した説明の動画をサーバーに記録してオンデマンドで見ることができるようにすることを特徴とする広告宣伝情報の提供方法
【請求項２】
請求項１記載の、同時放映をすることにおいて、その時に顧客がパソコン又は携帯端末を見ていない場合があり、この視聴を促すため、あらかじめ登録された顧客に対して、電話による自動発信アナウンスを行うことを特徴とする視聴促進の連絡方法
【発明の詳細な説明】
【技術分野】
【０００１】  本発明は、インターネット映像通信を利用した広告宣伝システムの技術に関する。
【背景技術】
【０００２】  従来のレンタルボックスショップにおける展示内容の広告宣伝方法は、店舗での看板のほか紙媒体による配布又は郵送あるいはインターネットの静止画によるホームページへの掲載である。
【発明の開示】
【発明が解決しようとする課題】
【０００３】  本発明は、レンタルボックスショップにおいて、小規模であるとか繁華街に所在しないとかの理由で、来店客数が少ない場合、店舗及び展示品の広告宣伝をする必要があるが、その方法は、店舗での看板のほか紙媒体による配布又は郵送あるいはインターネットの静止画によるホームページへの掲載であり、その効果は即時性を含めて充分ではなかった。本発明は、その規模を一定以上にし、インターネット映像通信を利用して、賃借者及びその関係者が参加した広告宣伝活動の積極化と即時性を高めることを解決して、来店者を増やそうとすることを課題とする。
【課題を解決するための手段】
【０００４】  以上の課題を解決するために、本発明は、レンタルボックスショップにおいて、賃貸者が箱を３０個以上設置し、インターネットサービスプロバイダー網に接続されている映像カメラを設置して、賃借者及びその関係者が展示品の内容を説明して同時放映する仕組み及びそれを録画した映像をオンデマンドで放映する仕組み並びに別に編集した映像記録を放映する仕組みを備えて、顧客が家庭のパソコン及び携帯端末から適宜その映像を見ることができるようにした。
【発明の効果】
【０００５】  本発明によって、レンタルボックスショップにおける広告宣伝が、地域の顧客に対して即時に効果的かつ安価に行われ、タイミングの良い売買に繋がるとともに来店者を増やすことができる。
【発明を実施するための最良の形態】
【０００６】  この発明の一実施形態を、図１に示す。ボックス棚１は、店舗の所有者である賃貸者が設置して、賃借者はその内の一以上のボックスを借り、自己の展示品を展示する。【０００７】  賃借者が行う展示品の内容説明を映像カメラ２で撮影し、サーバー３を経由してインターネットサービスプロバイダー網４を通じて同時放映をし、顧客は家庭のパソコン５又は携帯端末６でその映像を見ることができる。【０００８】  映像の内容は、賃借者が自ら行う展示品の説明のほか、別に行われる展示品の勉強会の模様や展示品に関係する説明模様及び店舗の紹介である。【０００９】  また、事前に撮影して編集をした映像をサーバー３に記録して、その記録映像を顧客の家庭のパソコン５又は携帯端末６からオンデマンドで見ることができる。【００１０】  この動画映像に誘引された顧客は、店舗へ来店８し、展示品に関し注文することになる。【００１１】  店舗に設置されたレンタルボックス１の箱の数は３０個以上とする。【００１２】  「実施形態の効果」
箱を３０個以上設置することにより、箱の賃貸者が一箱当たり月５，０００円のレンタル料金を設定すると月額１５万円を売上げることができるので、店員を雇って運営維持するのに最低限の店舗経営が可能となる。【００１３】  さらに、賃借者の展示品の内容をインターネット映像通信で広告するとき、３０種類以上あるので比較宣伝ができて相乗効果のある広告宣伝が可能となる。【００１４】  賃借者がその日のうちに売ってしまいたい展示品については、同時放映で説明することにより、顧客の即刻来店を促し、販売に繋がる。【００１５】  その場合、顧客がパソコン５または携帯端末６を見ていないことがあり、その同時放映を見てもらうために、あらかじめ登録された顧客の電話番号へ視聴催促の自動発信アナウンス７を行う。【００１６】あらかじめ登録された顧客は、性別、年齢別、好み又は趣味・嗜好、家族状況及び家屋状況で分類され、同時放映の内容により、マッチする者に対して、自動発信アナウンス７を行う。【００１７】  「実施形態の効果」
自動発信アナウンス７により、同時放映を見ていなかった顧客が、パソコン５又は携帯端末６のスイッチを入れ、その放映を見ることにより、来店行動８に繋がる。
【図面の簡単な説明】
【００１８】
【図１】本発明の全体のシステムについて、一実施形態を示す説明図である。
【図２】レンタルボックスの形状とボックス棚の形状を示す斜視図である。
【符号の説明】
【００１９】１    ボックス棚
１ａ  標準的な１つの箱
２    映像カメラ
３    サーバー
４    インターネットサービスプロバイダー網
５    家庭のパソコン
６    携帯端末
７    視聴催促の自動発信アナウンス電話
８    誘引による来店行動
【図１】
2006074711.tif 000003
【図２】
2006074711.tif 000004
(57)【要約】【課題】キップ・ソーンらの空間ワームホールタイムマシンを完成版として実現させる。【解決手段】負のエネルギーのパルスの後の正のエネルギーのパルスを負の電極等で消費吸収させ負のエネルギーのパルスを作りワームホールを維持し特異点の発生は冨松・佐藤解で処理し従来のこれの製造の難点を解消して完成版に仕上げる。【特許請求の範囲】
【請求項１】
（ィ）大きな質量の物を一箇所に集めて空間を折り曲げくぼみを作る。
（ロ）そしてそれを時空の裏側に縫い合わせる事によってワームホールは完成するがその際の特異点の発生は冨松・佐藤解で処理する。
（ハ）さらにワームホールを維持するためには負のエネルギーパルスの後の正のエネルギーパルスを負の電極等で消費吸収させ負のエネルギーパルスだけを作ることで維持する。
以上の如く論理で導かれる完成版空間ワームホールタイムマシン。なおタイムパラドックスは多世界解釈によって解消される。
【発明の詳細な説明】
【技術分野】
【０００１】  本発明は、完成した空間ワームホールタイムマシンに関する。
【背景技術】
【０００２】  従来、キップ・ソーンらの発表した空間ワームホールタイムマシンには特異点の処理やワームホールの維持ができてなかった。（例えば非特許文献２参照。）。【０００３】
【非特許文献１】  「宇宙論の新次元」、佐藤勝彦、日経サイエンス社、２００１年１１月１９日、１２２頁から１３２頁
【非特許文献２】  「図解雑学タイムマシン」２００３年１１月５日、ナツメ社、１４２頁から１４３頁、福江純
【発明の開示】
【発明が解決しようとする課題】
【０００４】  従来、キップ・ソーンらの発表した空間ワームホールタイムマシン製造にはくぼみを作り時空の裏側に縫い合わせる際に特異点が発生しそれを処理できずまたワームホールを維持するための負のエネルギーだけを作ることができていなかった。
【課題を解決するための手段】
【０００５】  特異点を冨松・佐藤解で処理し負のエネルギーのパルスの後の正のエネルギーのパルスを負の電極等で消費吸収させ負のエネルギーのパルスだけにしワームホールを維持する。
【発明の効果】
【０００６】  人間が通るタイムトラベルのための空間ワームホールタイムマシン製造が可能となる。
【発明を実施するための最良の形態】
【０００７】    以下、本発明の実施例について時系列的論理的に文章で説明する。先ず、大きな質量の物を一箇所に集めて空間を折り曲げてくぼみを作る。そしてそれを時空の裏側に縫い合わせる事によってワームホールは完成するがその際の特異点の発生は冨松・佐藤解で処理する。さらにワームホールを維持するためには負のエネルギーパルスの後の正のエネルギーパルスを負の電極等で消費吸収させ負のエネルギーパルスだけを作ることでこれを維持する。なおタイムパラドックスは多世界解釈によって解消される。以上の如く論理で導かれる完成版空間ワームホールタイムマシン。
【実施例】
【０００８】    上記の如く実施される。
【産業上の利用可能性】
【０００９】    キップ・ソーンらの空間ワームホールタイムマシンの理論はあったが特異点の冨松・佐藤解での処理や負のエネルギーだけを作ることで実現でき人間や物が通れることのタイムマシンは産業上の利用可能性は多大だと解される。
(57)【要約】      （修正有）【課題】今までにない省スペース化を実現した吊りフック一体形クランププレート構造を提供する。【解決手段】プレスに金型を取り付ける際に必要なＵ溝部の厚みと、金型を吊り上げる際に必要な吊りフックを一体化し、省スペース化、加工工程短縮を実現する。【選択図】図１
2006289484.tif 000002
【特許請求の範囲】
【請求項１】
プレスに金型を取り付ける際に必要な厚みを確保するためにＵ溝の形状をしたクランププレートと、金型を吊り上げる際に必要な吊り具を一体化したクランププレート構造
【発明の詳細な説明】
【発明の詳細な説明】
【技術分野】
【０００１】本発明は、プレス金型をプレスに取り付ける際に用いられるクランププレートに関するものである。
【背景技術】
【０００２】従来より、プレス金型をプレスに取り付ける際に、Ｕ溝部の厚みを必要とする場合、Ｕ溝の形状をしたクランププレートを取り付けている。
又、金型を吊り上げる際に必要な吊り具を取り付けている。
【発明が解決しようとする課題】
【０００３】しかしながら従来のように、吊り具とクランププレートとを個々に取り付けると相応のスペースが必要となり、それに伴う取り付けのための加工が必要となる。そこで本発明は、これらを一体化することで省スペース化のために発明されたものである。
【課題を解決するための手段】
【０００４】本発明は、金型をプレスに取り付ける際に必要な厚みを有するために使用するクランププレートと、金型を吊り上げるために必要な吊り具を一体化することで、省スペース化を実現し、取り付けに伴う加工の削減に成功した
【発明を実施するための最良の形態】
【０００５】発明実施の形態を実施例に基づき図面を参照して説明する。
図１において、Ｕ溝１の形状に吊りフック２を有するクランププレート。
【発明の効果】
【０００６】本発明は以上説明したような構造で形成されており、以下で記載されるような効果を奏する。
この形状にすることでプレスに金型を取り付ける際に必要なＵ溝の厚みを確保し、尚且つ金型を吊り上げる際に必要な吊りフックを有し、省スペース化、加工工程の短縮に成功した。
【図面の簡単な説明】
【図１】本発明のクランププレート図
【符号の説明】
１  Ｕ溝部
２  吊りフック
【図１】
2006289484.tif 000003
(57)【要約】      （修正有）【課題】従来のものより、取り外しと調整を容易にしたストロークエンドブロックを提供する。【解決手段】ストロークエンドブロック１をガイドポスト４の軸に直行方向からイモネジを用いて固定することで取り外しを容易にし、ガイドポストとストロークエンドブロックとの間にＯ字形の調整用プレート５入れることを可能とし、様々な厚みのＯ字形の調整用プレートを用意し交換することで、容易にストローク調整を行うことができるストロークエンドブロック構造。【選択図】図４
2006289485.tif 000002
【特許請求の範囲】
【請求項１】
ガイドポストの軸に直行方向からの取付を可能にするために、円形の中心にガイドポスト径以上の孔、円形の側面方向に１個以上のタップを有したストロークエンドブロック構造。
【請求項２】
軸部の根元部分に溝を有するガイドポストにイモネジを用いて固定する請求項１に記載のストロークエンドブロック構造。
【請求項３】
請求項１に記載したストロークエンドブロックとガイドポストの間にＯ字形調整用プレート挟み込んだストロークエンドブロック構造。
【発明の詳細な説明】
【発明の詳細な説明】
【技術分野】
【０００１】本発明は、プレス金型におけるストローク保持のために、ガイドポストの軸に通して用いられるストロークエンドブロックに関するものである。
【背景技術】
【０００２】従来より、プレス金型のストローク設定の際に、ガイドポストの軸に通して用いられているストロークエンドブロックは、ガイドポストに対して軸方向よりボルトで取り付けられている。
【発明が解決しようとする課題】
【０００３】しかしながら従来の取付方法では、ストロークの再調整時にストロークエンドブロックの取り外しが困難である。その上、微小の調整時にはストロークエンドブロック本体を取り外して加工を行う必要があった。
そこで本発明は、これらの作業を簡素化するために発明されたものである。
【課題を解決するための手段】
【０００４】本発明は、ストロークエンドブロックをガイドポストの軸に直行方向から取付けることで取り外しを容易にし、ガイドポストとストロークエンドブロックとの間にＯ字型の調整用プレート入れることで、従来の作業を簡素化することが可能となった。
【発明を実施するための最良の形態】
【０００５】発明実施の形態を実施例に基づき図面を参照して説明する。
図１において、ストロークエンドブロック１は、円形の中心に孔、円形の側面方向にタップ２を有する。
図４において、ガイドポスト４の軸部に外れ防止の溝３を有するものに、図２におけるＯ字形調整用プレート５とストロークエンドブロック１を組み込みイモネジで固定されている。調整時はイモネジを緩め、ストロークエンドブロック１を抜き取り、Ｏ字形調整プレート５を取り替えることで行うことができる。
図５は従来のストロークエンドブロック６を組み込んだ、溝３のない従来のガイドポスト７との組図である。この場合、調整時には、従来のストロークエンドブロック６の取り外しが困難なうえ、従来のストロークエンドブロック６に直接追加工を施さなくてはならない。
【発明の効果】
【０００６】本発明は以上説明したような構造で形成されており、以下で記載されるような効果を奏する。
ストロークエンドブロックをガイドポストの軸に直行方向から取付けることで取り外しが容易となり、ガイドポストとストロークエンドブロックとの間のＯ字型の調整用プレートを交換することで作業時間短縮という結果が得られた。
【図面の簡単な説明】
【図１】本発明のストロークエンドブロックの単体図
【図２】調整用プレートの単体図
【図３】ガイドポストの単体図
【図４】ガイドポストとストロークエンドブロックの組図
【図５】従来のガイドポストとストロークエンドブロックの組図
【符号の説明】
１  ストロークエンドブロック
２  タップ
３  溝
４  ガイドポスト
５  Ｏ字形調整プレート
６  従来のストロークエンドブロック
７  従来のガイドポスト
【図１】
2006289485.tif 000003
【図２】
2006289485.tif 000004
【図３】
2006289485.tif 000005
【図４】
2006289485.tif 000006
【図５】
2006289485.tif 000007
(57)【要約】【課題】  カーペット等に落ちた髪の毛やペットの毛、糸くず等が巻きついたり絡む事なく、又汚れた部分を容易に剥がす事が出来、衛生面も考慮したゴミ取り具を提供するものである。【解決の手段】  把持部を有する天板部に、アーチ状に形成された部分に粘着紙を取り付け、該粘着紙取り付け部分に複数の粘着シートを重ねて剥離可能に貼着した事を特徴とするゴミ取り具。【選択図】    図１
2006289017.tif 000002
【特許請求の範囲】
【請求項１】
把持部を有する天板部に、アーチ状に形成された粘着紙取り付け部を設け、該粘着紙取り付け部に複数枚の粘着シートを重ねて剥離可能に貼着したことを特徴とするゴミ取り具。
【発明の詳細な説明】
【技術分野】
【０００１】  本発明は、カーペットや衣類などに付着する髪の毛やペットの毛等が、巻きついたり絡んだりせず、又汚れ部分を容易に剥がす事の出来る、ゴミ取り具に関するものである。
【背景技術】
【０００２】従来ロール状に形成された部分に粘着紙を取り付け、回転させることによってゴミ等を取るはあった。
把持部を有する天板部の下のアーチ状に形成された部分に粘着紙を取り付け、シーソー状に動かしながらゴミを取る物は無かった。又、掌を通すバンドが付いている物は無かった。更に従来の柄の部分を使用できる物は無かった。
【発明の開示】
【発明が解決しようとする課題】
【０００３】その為に次のような問題があった。
（イ）  従来の物は、ロール状に形成された部分に粘着紙を取り付け、回転させる事により髪の毛やペットの毛等のゴミを取っていた。  しかし長い髪の毛や糸くず、ペットの毛等は絡んだり、巻きついてしまい、汚れた部分を剥がすのが非常に困難であった。
（ロ）  非粘着部の剥離部分の切れ込みも小さい為、剥がし辛く、年寄りには見ずらくもあった。
（ハ）  柄の部分がない時などは、汚れた粘着部分を直接手で触れ転がしていたので不衛生であった。
（ニ）  従来の柄を使えるようにした物はなかった。
【課題を解決する為の手段】
【０００４】把持部を有する天板部に、アーチ状に形成された部分に粘着紙取り付け部を設け、該粘着紙取り付部に複数枚の粘着シートを重ねて剥離可能に貼着した事を特徴とするゴミ取り具。
【発明の効果】
【０００５】従来の回転させて取るものと違い、アーチ状の部分をシーソー状に動かして取る為、長い髪の毛やペットの毛等が巻きついたり絡んだりする事がない。
又粘着紙部の片面に１センチ位の非粘着紙部を設けた為、剥離部分が広いので剥がすのが容易である。
天板に掌を通すバンドが付いている為、直接汚れ部分に触らず衛生的である。
天板部と粘着紙取り付け部の内部中央に円筒型の筒を取り付ける事により、従来の柄も使用する事が出来経済的である。
【発明を実施するための最良の形態】
【０００６】以下、本発明の実施の形態について説明する。
（イ）  図１のように、長方形の天板部（１）の下部に、アーチ状に形成された部分に粘着紙取り付け部（２）を設ける。
（ロ）  図１のように、天板部（１）の上に掌バンド部（６）を設ける。
（ハ）  図３のように、粘着紙部（４）に複数枚の粘着シート（８）を重ねて貼着する。
（ニ）  図３のように、シート部は外面が粘着部（４）で、内面を剥離部（７）とし、粘着部の片縁に１センチ位の非粘着部（５）を設ける。
（ホ）  図１のように、天板部（１）と粘着紙取り付け部（２）の中央空間部に、円筒形芯部（３）を固定する。
本発明は以上のような構成で、これを使用する時は、図４のように円筒形芯部（３）に柄部（９）を通し、シーソー状に動かす。また図５のように掌バンド部（６）も同様に動かす。使用後の粘着シート部（８）は図３のように剥離部（７）より剥がす。
【図面の簡単な説明】
【０００７】
【図１】本発明の正面図である。
【図２】本発明の断面図である。
【図３】本発明の斜視図である。
【図４】本発明の円筒形芯部に、柄の差し込み方をあらわす。
【図５】本発明の掌バンドの使用方法をあらわす。
【符号の説明】
【０００８】１  天板部
２  粘着紙取り付け部
３  円筒形芯部
４  粘着紙部
５  非粘着紙部
６  掌バンド部
７  剥離部
８  粘着シート部
９  柄部
【図１】
2006289017.tif 000003
【図２】
2006289017.tif 000004
【図３】
2006289017.tif 000005
【図４】
2006289017.tif 000006
【図５】
2006289017.tif 000007
(57)【要約】【課題】従来の靴敷きは足元、特に足の指先の保温を重要視していなかった。【解決手段】素材は表面がアルミフィルムで裏面は発泡ポリエチレンのシート、厚さ１ｍｍをスリッパ状態に加工した靴の中敷を使用することにより足、特に足の指先が外気の温度から遮断され、また、体温が保たれ一般に市販されている中敷より数段暖かくなる。【選択図】図１
2006289019.tif 000002
【特許請求の範囲】
【請求項１】
材質は表面がアルミフィルムで裏面は発泡ポリエチレンのシート。厚さ１ｍｍをスリッパ状態に加工し、それを靴の中に敷く足先保温を目的とした靴の中敷。
【発明の詳細な説明】
【技術分野】
【０００１】    本発明は足先の保温を図った靴の中敷に関する。
【背景技術】
【０００２】    従来の靴の中敷の材質にはポリエチレン、革等がある。また、形状は平面である。
【特許文献１】
【非特許文献１】
【発明の開示】
【発明が解決しようとする課題】
【０００３】    以上に述べた従来の靴の中敷は冬場の保温に関しては、効果がかなりうすかった。【０００４】    本発明は冬場における足先の保温を目的とするものである。
【課題を解決するための手段】    そして、本発明は上記目的を達成するため素材は表面がアルミフィルムで、裏面は発泡ポリエチレンのシート厚さ１ｍｍをスリッパ状態に加工し、それを靴の中に敷く。尚、中敷が靴の中でずりやすいため靴敷きの裏面に両面接着を貼る、【０００５】    上記課題解決手段による作用は次の通りである。すなわち、冬場足先を上記のシートで包むことにより外気の温度が遮断され、また体温が保たれ、足先の冷たさを解消することができる。【０００６】    また、この靴敷きの素材は消臭、抗菌、棒カビの加工してあります。
【発明の効果】
【０００７】    上記したように冬場、外で作業する人や営業する人、あるいは通学時の子供に足先の冷たさを解消できる。【０００８】    また、素材が消臭、抗菌、防カビで加工されているので、足の臭いのきつい人には愛用されると思われる。【０００９】    また、素材の消臭、抗菌、防カビの加工にて他の中敷より清潔でいられる。【００１０】    靴の大小に対応するため長めにし、各自、靴の大きさに合わせて切ることでどの靴にも合うようにもなる。尚、子供用は子供用サイズを別に製造する。
【発明を実施するための最良の状態】
以下、本発明の実施の形態を図１から図２に基づいて説明する。
【００１１】    図においては、図１はスリッパ状に加工した靴の中敷の外観図で図２は靴の中敷の断面図。
【図面の簡単な説明】
【００１２】
【図１】本発明の実施形態を示す靴敷きの外観図
【図２】同、靴の中敷の断面図
【図１】
2006289019.tif 000003
【図２】
2006289019.tif 000004
(57)【要約】【課題】  本発明は、本棚の底板を水平より約５度、手前側を持ち上げ、地震の際、本棚が揺れても、本が飛出して、落ちるのを防止できるように工夫した地震対策用の本棚を提供する。【解決手段】  本棚（１）の底板（２）を水平より約５度、傾斜を設けたことを特徴とする。【選択図】  図２
2006289015.tif 000002
【特許請求の範囲】
【請求項１】
本棚（１）の底板（２）を水平より約５度、傾斜を設けたことを特徴とする地震対策用の本棚。
【発明の詳細な説明】
【技術分野】
【０００１】  本発明は、本棚の底板を水平より約５度、手前側を持ち上げ、地震の際、本棚が揺れても、本が飛出して、落ちるのを防止できるように工夫した地震対策用の本棚に関すものである。
【背景技術】
【０００２】  従来、本棚は本を立てて並べて置くだけだった。
もしくは、扉を取付けて、本が落ちるのを防いでいた。
【発明の開示】
【発明が解決しようとする課題】
【０００３】  そのため、次のような問題点があった。
地震があると、振動により、本が落ちる。
また、扉を取付けた本棚は、扉が開いて本が落ちたり、扉のガラス等が破損して本が落ちていた。
本発明は以上の問題点を解決しようとするものである。
【課題を解決するための手段】
【０００４】  本棚（１）の底板（２）を水平より約５度、傾斜を設ける。
本棚の本を置く手前が高くなることで、本が振動により、飛出して落ちそうになっても、本が滑って、元の位置に戻る仕組みである。
以上を特徴とする地震対策用の本棚である。
【発明の効果】
【０００５】  本発明は、地震の際、本棚から本が飛出して落ちそうになっても、本が元の位置に戻るのである。
【発明を実施するための最良の形態】
【０００６】  以下、本発明の実施の形態を説明する。
本棚本体（１）に設置されている底板（２）は、水平より手前側を約５度持ち上げる。
本発明は、以上の構成よりなっている。
本発明品を使用するときは、通常の本棚として使用し、本棚に本（３）を入れる。
本（３）は、傾斜して収納できるので、振動しても、本が前に飛び出すことはない。
【図面の簡単な説明】
【０００７】
【図１】  本発明の斜視図である。
【図２】  本発明の使用状態を説明した側面図である。
【符号の説明】
【０００８】    １  本棚本体
２  底板
３  本
【図１】
2006289015.tif 000003
【図２】
2006289015.tif 000004
(57)【要約】【課題】  本発明は、三角柱の台座の上部と下部に約５度の角度を設けた地震対策用の本棚用の台座で、地震の際、本棚の本を置く手前部分が高くなることで本が飛出して落ちそうになっても本が滑って元の位置に戻るように工夫した、地震対策用の本棚の台座を提供する。【解決手段】  三角柱の台座（１）の上部（２）と下部（３）に角度（４）を設けたことを特徴とする。【選択図】  図１
2006289016.tif 000002
【特許請求の範囲】
【請求項１】
三角柱の台座（１）の上部（２）と下部（３）に角度（４）を設けたことを特徴とする地震対策用の本棚用の台座。
【発明の詳細な説明】
【技術分野】
【０００１】  本発明は、三角柱の台座の上部と下部に約５度の角度を設けた地震対策用の本棚用の台座で、地震の際、本棚の本を置く手前部分が高くなることで、振動によって、本が飛出して落ちそうになっても、本が滑って、元の位置に戻るように工夫した、地震対策用の本棚の台座に関するものである。
【背景技術】
【０００２】  従来、本棚の底板は平面の状態になっていた。その平らなところに、本を立てて並べて置くだけであった。
もしくは、本棚の前面に扉を取付けて、本の落ちるのを防いでいた。
【発明の開示】
【発明が解決しようとする課題】
【０００３】  そのために、次のような問題点があった。
地震があると本が落ちる。
また、扉の取付けた本棚は、扉が開いて本が落ちて、扉のガラス等が破損して本が落ちていた。
ガラスが破損すれば、怪我をする可能性もあった。
本発明は以上の問題点を解決しようとするものである。
【課題を解決するための手段】
【０００４】  三角柱の台座（１）の上部（２）と下部（３）に角度（４）を設けたことを特徴とする地震対策用の本棚用の台座。
以上を特徴とする地震対策用の本棚の台座である。
【発明の効果】
【０００５】  本発明は、地震の際本棚から本が飛出して落ちそうになっても、三角柱の台座の上部と下部に角度を設けてあるので、本は、また、元の位置に戻る。
【発明を実施するための最良の形態】
【０００６】  以下、本発明の実施の形態を説明する。
三角柱の台座（１）の上部（２）と下部（３）に角度（４）を設ける。
本発明は、以上の構成よりなっている。
本発明を使用するときは、本棚の底板の上に、角度が約５度ついた三角柱の台座を手前が高くなるように敷いて固定する。
本発明は、地震で本棚が揺れて本が飛出して来ても角度を設けているため、本が滑り元の位置に収まる。
【図面の簡単な説明】
【０００７】
【図１】  本発明の斜視図である。
【図２】  本発明の側面図である。
【図３】  本発明の使用状態を示した斜視図である。
【符号の説明】
【０００８】    １  台座
２  上部
３  下部
４  角度
５  本棚の底板
【図１】
2006289016.tif 000003
【図２】
2006289016.tif 000004
【図３】
2006289016.tif 000005